(57)【要約】【課題】オーディオコンテンツデータから楽曲位置を検出して記憶しておき、再生の際に楽曲位置の情報を用いることで楽曲データのみをシームレスに再生できるコンテンツ再生装置を提供する。【解決手段】コンテンツ再生装置１０は、コンテンツデータ読出部１２、コンテンツデータ分離部１３、オーディオコンテンツデータ分類部１５、楽曲位置検出部１６、オーディオコンテンツデータ再生部１８を備える。コンテンツ再生装置１０は、コンテンツファイル１１からコンテンツデータを読み出して、コンテンツデータをオーディオコンテンツデータとビデオコンテンツデータとに分離し、オーディオコンテンツデータを楽曲データと非楽曲データとに分類し、楽曲データに分類されたオーディオコンテンツデータに対し楽曲データを認識して楽曲位置を検出して記憶部１７に記憶し、その楽曲位置を基にオーディオコンテンツデータの楽曲データを再生する。【選択図】図１
2006286031.tif 000002
【特許請求の範囲】
【請求項１】
コンテンツデータを読み出すコンテンツデータ読出手段と、該読み出したコンテンツデータをオーディオコンテンツデータとビデオコンテンツデータとに分離するコンテンツデータ分離手段と、該分離したオーディオコンテンツデータを楽曲データと非楽曲データとに分類するオーディオコンテンツデータ分類手段と、前記楽曲データに分類されたオーディオコンテンツデータに対して楽曲データを認識して楽曲位置を検出する楽曲位置検出手段と、該検出した楽曲位置を記憶する記憶手段と、該記憶した楽曲位置を基にオーディオコンテンツデータの楽曲データを再生するオーディオコンテンツデータ再生手段とを備えていることを特徴とするコンテンツ再生装置。
【請求項２】
コンテンツデータを読み出すコンテンツデータ読出手段と、該読み出したコンテンツデータをオーディオコンテンツデータとビデオコンテンツデータとに分離するコンテンツデータ分離手段と、該分離したオーディオコンテンツデータを楽曲データと非楽曲データとに分類するオーディオコンテンツデータ分類手段と、前記楽曲データに分類されたオーディオコンテンツデータに対して楽曲データを認識して楽曲位置を検出する楽曲位置検出手段と、該検出した楽曲位置を記憶する記憶手段と、該記憶した楽曲位置を基にオーディオコンテンツデータの楽曲データを再生するオーディオコンテンツデータ再生手段と、前記コンテンツデータ分離手段により分離されたビデオコンテンツデータを再生するビデオコンテンツデータ再生手段と、該再生したビデオコンテンツデータを表示する表示手段とを備えていることを特徴とするコンテンツ再生装置。
【請求項３】
コンテンツデータを読み出すコンテンツデータ読出手段と、該読み出したコンテンツデータをオーディオコンテンツデータとビデオコンテンツデータとに分離するコンテンツデータ分離手段と、オーディオコンテンツデータの楽曲位置を含むコンテンツデータのメタデータを記憶したメタデータ記憶手段と、前記コンテンツデータ分離手段により分離したオーディオコンテンツデータのメタデータを前記メタデータ記憶手段から読み込む手段と、該読み込んだメタデータに基づいて楽曲位置を記憶する記憶手段と、該記憶した楽曲位置を基にオーディオコンテンツデータの楽曲データを再生するオーディオコンテンツデータ再生手段とを備えていることを特徴とするコンテンツ再生装置。
【請求項４】
前記オーディオコンテンツデータ分類手段は、前記コンテンツデータ分離手段により分離されたオーディオコンテンツデータを、楽曲データのみのオーディオコンテンツデータ、楽曲データと非楽曲データを含むオーディオコンテンツデータ、非楽曲データのみのオーディオコンテンツデータのいずれかに分類することを特徴とする請求項１又は２に記載のコンテンツ再生装置。
【請求項５】
前記楽曲位置検出手段は、オーディオコンテンツデータに含まれる楽曲データの開始位置と終了位置を検出することを特徴とする請求項１又は２に記載のコンテンツ再生装置。
【請求項６】
前記オーディオコンテンツデータ再生手段は、前記記憶手段に記憶された楽曲位置を基に所定の順番に楽曲データを再生することを特徴とする請求項１乃至３のいずれか１に記載のコンテンツ再生装置。
【請求項７】
前記オーディオコンテンツデータ再生手段は、楽曲データのみのオーディオコンテンツデータ及び／又は楽曲データと非楽曲データを含むオーディオコンテンツデータに対して各楽曲データを所定の順番に再生することを特徴とする請求項１乃至３のいずれか１に記載のコンテンツ再生装置。
【請求項８】
前記オーディオコンテンツデータ再生手段は、楽曲データのみのオーディオコンテンツデータ及び／又は楽曲データと非楽曲データを含むオーディオコンテンツデータの再生時において、楽曲データのみを再生し、非楽曲データを再生しないことを特徴とする請求項１乃至３のいずれか１に記載のコンテンツ再生装置。
【請求項９】
前記オーディオコンテンツデータ再生手段は、非楽曲データのみのオーディオコンテンツデータ及び／又は楽曲データと非楽曲データを含むオーディオコンテンツデータの再生時において、非楽曲データのみを再生し、楽曲データを再生しないことを特徴とする請求項１乃至３のいずれか１に記載のコンテンツ再生装置。
【請求項１０】
前記オーディオコンテンツデータ再生手段は、楽曲データと非楽曲データを含むオーディオコンテンツデータの再生時において、楽曲データを再生中に所定の操作により該楽曲データの再生を中止し、該楽曲データの前及び／又は後の非楽曲データを再生することを特徴とする請求項１乃至３のいずれか１に記載のコンテンツ再生装置。
【請求項１１】
前記オーディオコンテンツデータ再生手段は、楽曲データと非楽曲データを含むオーディオコンテンツデータの再生時において、非楽曲データを再生中に所定の操作により該非楽曲データの再生を中止し、該非楽曲データの前及び／又は後の楽曲データを再生することを特徴とする請求項１乃至３のいずれか１に記載のコンテンツ再生装置。
【請求項１２】
前記記憶手段は、楽曲データの楽曲位置と共に、前記オーディオコンテンツデータ分類手段での分類結果と、前記楽曲位置検出手段で検出した楽曲データの検出順を示す楽曲番号とを記憶することを特徴とする請求項１又は２に記載のコンテンツ再生装置。
【請求項１３】
前記コンテンツデータ読出手段により読み出したコンテンツデータにビデオコンテンツデータを含む場合、前記ビデオコンテンツデータ再生手段でビデオコンテンツデータを再生しないことを特徴とする請求項２に記載のコンテンツ再生装置。
【請求項１４】
前記コンテンツデータ読出手段により読み出したコンテンツデータにビデオコンテンツデータを含む場合、前記ビデオコンテンツデータ再生手段で再生するビデオコンテンツデータを前記表示手段に表示しないことを特徴とする請求項２に記載のコンテンツ再生装置。
【発明の詳細な説明】
【技術分野】
【０００１】
本発明は、コンテンツ再生装置、より詳細には、記録メディア等に蓄積されている音楽や映像のコンテンツデータを再生して視聴するコンテンツ再生装置に関する。
【背景技術】
【０００２】
近年、大容量の記録メディアの普及に伴い、音楽コンテンツやビデオコンテンツのデータを端末装置のハードディスクドライブ、半導体メモリ等に蓄積して、蓄積されたコンテンツデータを読み出して音楽や映像を再生して楽しむということが盛んに行われている。端末装置としては、例えばパーソナルコンピュータ、携帯情報端末、携帯電話、携帯型の音楽／ビデオプレーヤ、据置きＡＶ機器などがある。大容量の記録メディアには大量／長時間の音楽コンテンツやビデオコンテンツの蓄積が可能となってきており、例えば４０ＧＢのハードディスクドライブには圧縮した音楽コンテンツを１０，０００曲程度、蓄積できる。同様にビデオコンテンツも圧縮することで数時間のデータを蓄積できる。
【０００３】
一方、ラジオ放送やテレビ放送のコンテンツデータ、例えば歌番組の放送には楽曲データ以外に会話等も含まれているので、楽曲データのみを聞きたい場合でも会話等をそのまま聞く必要があり、時間を浪費するという問題があった。また、再生時間を短縮するためには、会話等の部分を視聴者がマニュアルで早送りするなどの手間がかかった。しかも、大量／長時間のコンテンツに対して、必要のない内容を聞くことや煩わしい操作は視聴者にとって大変不便である。このような問題を解決するために、例えば、特許文献１には、ラジオ放送等の放送データから楽曲データ等のコンテンツデータを抽出する装置が開示されている。この従来例について図１４に基づいて説明する。
【０００４】
図１４は、従来技術によるラジオ放送の放送データから楽曲データ等のコンテンツデータを抽出する装置の構成例を示すブロック図で、図中、１００は端末装置で、該端末装置１００は、楽曲データの曲名，アーティスト名，放送開始時間等が記録されたプレイリストを受信する受信部１０１と、データを送信する送信部１０２と、放送データを受信するラジオ受信部１０３と、放送データ等を記録する記憶部１０４と、記憶部１０４にアクセスするデータ処理部１０５と、時刻を計時する時刻供給部１０６と、操作信号を入力するための操作部１０７と、データ処理されたデータを表示する表示部１０８と、を備えている。
【０００５】
記憶部１０４は、端末装置１００に内蔵されたハードディスクドライブや半導体メモリ等の記録メディアで構成し、ラジオ放送が記録されると共に楽曲データが記録される。データ処理部１０５は、ラジオ受信部１０３が操作部１０７で指定されたチャンネルの放送データを受信すると、これを記憶部１０４に保存する。また、データ処理部１０５は、音声認識により所定時間毎に音声データの種類を、楽曲、会話等に分類する。その後、取得したプレイリストに基づきこの中から楽曲データを抽出して、会話等の楽曲データ以外の部分を消去する。
【０００６】
時刻供給部１０６は、ＮＴＰ（Ｎｅｔｗｏｒｋ  Ｔｉｍｅ  Ｐｒｏｔｏｃｏｌ）サーバ等に接続して内蔵する時計を整合し、その時計が示す時刻をデータ処理部１０５に出力する。操作部１０７は、データを入力するためのキーボード、マウス等で構成して、視聴者の操作に応じて操作信号を生成し、これをデータ処理部１０５に出力する。表示部１０８は、ＣＲＴ（Ｃａｔｈｏｄ−Ｒａｙ  Ｔｕｂｅ）やＬＣＤ（Ｌｉｑｕｉｄ  Ｃｒｙｓｔａｌ  Ｄｉｓｐｌａｙ）等からなり、楽曲データのタイトル等を表示して視聴者が操作部１０７を用いて所望の楽曲データを選択できるようになっている。
【特許文献１】特開２００３−２０３４６７号公報
【発明の開示】
【発明が解決しようとする課題】
【０００７】
しかしながら、前述した従来の技術では、楽曲データ以外を消去するので後に会話等の楽曲データ以外を視聴したい場合でも視聴できないという問題がある。また、楽曲データの抽出には、ラジオ放送等により放送された楽曲データの放送開始日時と終了日時と楽曲データの識別データの情報で構成するプレイリストが必要であり、このようなプレイリストをもたないコンテンツデータからは楽曲データを抽出できないという問題がある。
【０００８】
本発明は、上述のような問題を解決するためになされたものであって、オーディオコンテンツデータから楽曲位置を検出して記憶しておき、再生の際に楽曲位置の情報を用いることで、楽曲データのみのオーディオコンテンツデータや、楽曲データと非楽曲データ（会話など）が混在するオーディオコンテンツデータから楽曲データのみをシームレスに再生可能なコンテンツ再生装置を提供すること、を目的としてなされたものである。
【課題を解決するための手段】
【０００９】
上記課題を解決するために、本発明の第１の技術手段は、コンテンツ再生装置において、コンテンツデータを読み出すコンテンツデータ読出手段と、該読み出したコンテンツデータをオーディオコンテンツデータとビデオコンテンツデータとに分離するコンテンツデータ分離手段と、該分離したオーディオコンテンツデータを楽曲データと非楽曲データとに分類するオーディオコンテンツデータ分類手段と、前記楽曲データに分類されたオーディオコンテンツデータに対して楽曲データを認識して楽曲位置を検出する楽曲位置検出手段と、該検出した楽曲位置を記憶する記憶手段と、該記憶した楽曲位置を基にオーディオコンテンツデータの楽曲データを再生するオーディオコンテンツデータ再生手段とを備えていることを特徴としたものである。
【００１０】
第２の技術手段は、コンテンツ再生装置において、コンテンツデータを読み出すコンテンツデータ読出手段と、該読み出したコンテンツデータをオーディオコンテンツデータとビデオコンテンツデータとに分離するコンテンツデータ分離手段と、該分離したオーディオコンテンツデータを楽曲データと非楽曲データとに分類するオーディオコンテンツデータ分類手段と、前記楽曲データに分類されたオーディオコンテンツデータに対して楽曲データを認識して楽曲位置を検出する楽曲位置検出手段と、該検出した楽曲位置を記憶する記憶手段と、該記憶した楽曲位置を基にオーディオコンテンツデータの楽曲データを再生するオーディオコンテンツデータ再生手段と、前記コンテンツデータ分離手段により分離されたビデオコンテンツデータを再生するビデオコンテンツデータ再生手段と、該再生したビデオコンテンツデータを表示する表示手段とを備えていることを特徴としたものである。
【００１１】
第３の技術手段は、コンテンツ再生装置において、コンテンツデータを読み出すコンテンツデータ読出手段と、該読み出したコンテンツデータをオーディオコンテンツデータとビデオコンテンツデータとに分離するコンテンツデータ分離手段と、オーディオコンテンツデータの楽曲位置を含むコンテンツデータのメタデータを記憶したメタデータ記憶手段と、前記コンテンツデータ分離手段により分離したオーディオコンテンツデータのメタデータを前記メタデータ記憶手段から読み込む手段と、該読み込んだメタデータに基づいて楽曲位置を記憶する記憶手段と、該記憶した楽曲位置を基にオーディオコンテンツデータの楽曲データを再生するオーディオコンテンツデータ再生手段とを備えていることを特徴としたものである。
【００１２】
第４の技術手段は、第１又は第２の技術手段において、前記オーディオコンテンツデータ分類手段は、前記コンテンツデータ分離手段により分離されたオーディオコンテンツデータを、楽曲データのみのオーディオコンテンツデータ、楽曲データと非楽曲データを含むオーディオコンテンツデータ、非楽曲データのみのオーディオコンテンツデータのいずれかに分類することを特徴としたものである。
【００１３】
第５の技術手段は、第１又は第２の技術手段において、前記楽曲位置検出手段は、オーディオコンテンツデータに含まれる楽曲データの開始位置と終了位置を検出することを特徴としたものである。
【００１４】
第６の技術手段は、第１乃至第３のいずれか１の技術手段において、前記オーディオコンテンツデータ再生手段は、前記記憶手段に記憶された楽曲位置を基に所定の順番に楽曲データを再生することを特徴としたものである。
【００１５】
第７の技術手段は、第１乃至第３のいずれか１の技術手段において、前記オーディオコンテンツデータ再生手段は、楽曲データのみのオーディオコンテンツデータ及び／又は楽曲データと非楽曲データを含むオーディオコンテンツデータに対して各楽曲データを所定の順番に再生することを特徴としたものである。
【００１６】
第８の技術手段は、第１乃至第３のいずれか１の技術手段において、前記オーディオコンテンツデータ再生手段は、楽曲データのみのオーディオコンテンツデータ及び／又は楽曲データと非楽曲データを含むオーディオコンテンツデータの再生時において、楽曲データのみを再生し、非楽曲データを再生しないことを特徴としたものである。
【００１７】
第９の技術手段は、第１乃至第３のいずれか１の技術手段において、前記オーディオコンテンツデータ再生手段は、非楽曲データのみのオーディオコンテンツデータ及び／又は楽曲データと非楽曲データを含むオーディオコンテンツデータの再生時において、非楽曲データのみを再生し、楽曲データを再生しないことを特徴としたものである。
【００１８】
第１０の技術手段は、第１乃至第３のいずれか１の技術手段において、前記オーディオコンテンツデータ再生手段は、楽曲データと非楽曲データを含むオーディオコンテンツデータの再生時において、楽曲データを再生中に所定の操作により該楽曲データの再生を中止し、該楽曲データの前及び／又は後の非楽曲データを再生することを特徴としたものである。
【００１９】
第１１の技術手段は、第１乃至第３のいずれか１の技術手段において、前記オーディオコンテンツデータ再生手段は、楽曲データと非楽曲データを含むオーディオコンテンツデータの再生時において、非楽曲データを再生中に所定の操作により該非楽曲データの再生を中止し、該非楽曲データの前及び／又は後の楽曲データを再生することを特徴としたものである。
【００２０】
第１２の技術手段は、第１又は第２の技術手段において、前記記憶手段は、楽曲データの楽曲位置と共に、前記オーディオコンテンツデータ分類手段での分類結果と、前記楽曲位置検出手段で検出した楽曲データの検出順を示す楽曲番号とを記憶することを特徴としたものである。
【００２１】
第１３の技術手段は、第２の技術手段において、前記コンテンツデータ読出手段により読み出したコンテンツデータにビデオコンテンツデータを含む場合、前記ビデオコンテンツデータ再生手段でビデオコンテンツデータを再生しないことを特徴としたものである。
【００２２】
第１４の技術手段は、第２の技術手段において、前記コンテンツデータ読出手段により読み出したコンテンツデータにビデオコンテンツデータを含む場合、前記ビデオコンテンツデータ再生手段で再生するビデオコンテンツデータを前記表示手段に表示しないことを特徴としたものである。
【発明の効果】
【００２３】
本発明によれば、オーディオコンテンツデータから楽曲位置を検出して記憶しておき、再生の際に楽曲位置の情報を用いることで、楽曲データのみのオーディオコンテンツデータや、楽曲データと非楽曲データ（会話など）が混在するオーディオコンテンツデータから楽曲データのみをシームレスに再生することができる。
【００２４】
また、楽曲データの分類結果、楽曲番号などを参照することで、視聴者が要求するコンテンツデータを容易に選択したり、再生したりすることができるようになる。
【００２５】
また、楽曲データを視聴中に、一旦再生を中断してその楽曲データの前後にある非楽曲部分の会話等を視聴することもできる。また、楽曲位置に基づいて楽曲データを再生しているだけで、会話等の非楽曲部分は消去しないため、後に会話等の非楽曲部分も視聴することが可能となる。
【００２６】
さらに、楽曲データや非楽曲データのオーディオコンテンツデータのみの視聴の場合は、再生するコンテンツデータにビデオコンテンツデータが含まれていてもビデオ再生しない、あるいは、ビデオ表示しないため、コンテンツ再生装置の消費電力を低減できる。
【発明を実施するための最良の形態】
【００２７】
本発明のコンテンツ再生装置の実施例について図面を用いて説明する。
（実施例１）
図１は、本発明の実施例１に係るコンテンツ再生装置の構成例を示すブロック図で、図中、１０はコンテンツ再生装置で、該コンテンツ再生装置１０は、コンテンツデータが蓄積されているコンテンツファイル１１と、コンテンツファイル１１とシステム制御部２０に接続してコンテンツデータを読み出すコンテンツデータ読出部１２と、コンテンツデータ読出部１２に接続して読み出されたコンテンツデータをオーディオコンテンツデータとビデオコンテンツデータとに分離するコンテンツデータ分離部１３と、コンテンツデータ分離部１３に接続しオーディオコンテンツデータを一時的に蓄積するオーディオバッファ部１４と、オーディオバッファ部１４に接続し分離されたオーディオコンテンツデータを楽曲データ（単に楽曲という）と非楽曲データ（単に非楽曲という）とに分類するオーディオコンテンツデータ分類部１５と、オーディオコンテンツデータ分類部１５に接続し楽曲に分類されたオーディオコンテンツデータに対し楽曲を認識して楽曲位置を検出する楽曲位置検出部１６と、楽曲位置検出部１６とシステム制御部２０に接続し検出された楽曲位置を記憶する記憶部１７と、オーディオバッファ部１４と記憶部１７とシステム制御部２０に接続し記憶された楽曲位置を基にオーディオコンテンツデータの楽曲を再生するオーディオコンテンツデータ再生部１８と、データ等の入力操作するための操作部１９と、コンテンツデータ読出部１２とコンテンツデータ分離部１３と記憶部１７と操作部１９とプレイリストファイル２１に接続しコンテンツ再生装置１０を制御するシステム制御部２０と、プレイリストを蓄積するプレイリストファイル２１と、コンテンツデータ分離部１３に接続しビデオコンテンツデータを一時的に蓄積するビデオバッファ部２２と、ビデオバッファ部２２とシステム制御部２０に接続し分離されたビデオコンテンツデータを再生するビデオコンテンツデータ再生部２３と、システム制御部２０とビデオコンテンツデータ再生部２３に接続し再生されたビデオコンテンツデータを表示する表示部２４と、を備えている。
【００２８】
上記構成によるコンテンツ再生装置１０の動作例は、以下の通りである。
コンテンツファイル１１は、ハードディスクドライブなどで構成され、ここにはコンテンツデータとして、例えば、楽曲コンテンツデータ、オーディオビジュアルコンテンツデータ（以下ＡＶコンテンツデータ）等が蓄積されている。楽曲コンテンツデータは、例えば、非圧縮オーディオデータをＭＰＥＧ−２オーディオＡＡＣ（Ａｄｖａｎｃｅｄ  Ａｕｄｉｏ  Ｃｏｄｉｎｇ）で圧縮符号化したデータとする。また、ＡＶコンテンツデータに関しては、例えば、非圧縮ビデオデータをＭＰＥＧ−４ビデオ符号化方式で圧縮符号化したデータと、非圧縮オーディオデータをＭＰＥＧ−２オーディオＡＡＣで圧縮符号化したデータを多重化したデータとする。ただし、オーディオやビデオの圧縮方式はこれに限定するものでなく、従来提案されている様々な方式が使用可能である。また、非圧縮のオーディオデータやビデオデータを用いてもよい。
【００２９】
図２は、コンテンツファイル１１に格納されるコンテンツデータの格納形式の一例を示す図である。コンテンツファイル１１には、図２に示す形式で各コンテンツデータが格納されている。例えば、ルートディレクトリのｒｏｏｔ３１の下に、楽曲コンテンツデータのアルバム名を示すＳＫＹ３２とそれを構成する楽曲コンテンツデータとしてＡＢＣ３３、ＤＥＦ３４、ＧＨＩ３５がある。さらに、ＡＶコンテンツデータとして、テレビの歌番組を録画したＳｏｎｇ  Ｓｈｏｗ３６、楽曲コンテンツデータであるＪＫＬ３７とＸＹＺ３８、ネットワークからダウンロードした映画番組のＡＶコンテンツデータＯｎｌｙ  Ｏｎｅ３９、テレビのニュース番組を録画したＡＶコンテンツデータであるＴｏｄａｙ’ｓ  Ｎｅｗｓ４０がある。
【００３０】
図１において、コンテンツデータ読出部１２は、まず、コンテンツファイル１１から各コンテンツデータのファイル名の一覧を取得する。次に、システム制御部２０にこの一覧を入力すると、システム制御部２０を介して表示部２４にファイル名の一覧が表示される。視聴者はこの表示に従い操作部１９から所望のコンテンツデータを選択すると、コンテンツデータ読出部１２はコンテンツファイル１１から選択されたコンテンツデータを読み出す。
【００３１】
コンテンツデータ分離部１３では、多重化されたオーディオコンテンツデータとビデオコンテンツデータを分離する。例えば、コンテンツデータ分離部１３に入力されたデータがＳｏｎｇ  Ｓｈｏｗ３６のようなＡＶコンテンツデータとすると、圧縮されたオーディオデータとビデオデータが多重化されているので、それぞれがここで分離されて圧縮オーディオコンテンツデータはオーディオバッファ部１４へ、圧縮ビデオコンテンツデータはビデオバッファ部２２に入力される。一方、楽曲コンテンツデータのみで構成するオーディオコンテンツデータ、例えばＡＢＣ３３やＪＫＬ３７については分離処理を行わないもののオーディオバッファ部１４へ入力される。
【００３２】
オーディオコンテンツデータ分類部１５は、オーディオバッファ部１４からオーディオコンテンツデータを読み出し、スペクトラム分析して、楽曲部分と、会話やナレーションのような非楽曲部分とに分類する。このオーディオコンテンツデータ分類部１５の構成について図３を用いて説明する。
【００３３】
図３は、オーディオコンテンツデータ分類部１５の構成例を示すブロック図で、オーディオコンテンツデータ分類部１５は、スペクトラム分析部１５ａ、楽曲／非楽曲整合部１５ｂ、最終分類部１５ｃから構成されている。まず、スペクトラム分析部１５ａでオーディオコンテンツデータを所定時間毎にスペクトラムを算出し、特定の周波数において急峻に立上るピークをもつ場合を楽曲部分、それ以外を非楽曲部分と分類する。次に、楽曲／非楽曲整合部１５ｂで所定時間毎に分類された結果を、その前後の所定時間毎の分類結果と比較して整合をとる。最後に、最終分類部１５ｃで最終的な楽曲部分と非楽曲部分の分類結果を得る。なお、分類結果をオーディオコンテンツデータ毎にみると、楽曲コンテンツデータのみのオーディオコンテンツデータ、楽曲コンテンツデータと非楽曲コンテンツデータで構成するオーディオコンテンツデータ、非楽曲コンテンツデータのみのオーディオコンテンツデータ、の３種類に分類できる。
【００３４】
ただし、上記の読み込んだデータが圧縮オーディオコンテンツデータの場合は、オーディオデータを分類する前に、一旦復号して非圧縮オーディオコンテンツデータとしたものに対して分類処理を実施する。復号に用いるデコーダは、オーディオコンテンツデータ分類部１５に内蔵してもよいし、オーディオコンテンツデータ再生部１８に内蔵されたデコーダを使用してもよい。
【００３５】
楽曲位置検出部１６では、オーディオコンテンツデータ分類部１５で楽曲部分に分類されたオーディオコンテンツデータに対して、音声認識により楽曲の開始位置と終了位置を正確に検出する。具体的には、オーディオコンテンツデータの楽曲部分の先頭および最後部のデータについて、人物の発声音、無音、背景音、楽器音等を認識して決定する。ここで、楽曲の開始位置と終了位置はそれぞれオーディオコンテンツデータの最初の位置からのファイルサイズで表し、このペアで１つの楽曲区間を示す。即ち、オーディオコンテンツデータから楽曲の開始位置までファイルを読み飛ばしてそこから楽曲を再生し、終了位置まで到達したら楽曲再生を終了することで個々の楽曲を任意に抽出／再生できる。
【００３６】
なお、オーディオコンテンツデータ分類部１５及び楽曲位置検出部１６で述べた楽曲分類方法と楽曲位置検出方法はこれに限定するものでなく、従来提案されている様々な方式が使用可能である。
【００３７】
また、既に楽曲コンテンツデータとして認識できているＡＢＣ３３やＪＫＬ３７は、オーディオコンテンツデータ分類部１５及び楽曲位置検出部１６での分類処理および楽曲位置検出処理を実施する必要はない。記憶部１７は、オーディオコンテンツデータの楽曲位置や分類結果を管理するテーブルを記録しておく手段である。
【００３８】
図４は、記憶部１７に記録する楽曲位置管理テーブルの構成例を示す図で、図中、４１は楽曲位置管理テーブルを示す。楽曲位置管理テーブル４１は、「オーディオコンテンツデータ」の名称に続いて、オーディオコンテンツデータ分類部１５での「分類結果」を記録する。ここで、「分類結果」は、楽曲コンテンツデータのみのオーディオコンテンツデータを“１”、楽曲コンテンツデータと非楽曲コンテンツデータで構成するオーディオコンテンツデータを“２”、非楽曲コンテンツデータのみのオーディオコンテンツデータを“３”で表す。
【００３９】
次に、オーディオコンテンツデータ毎の楽曲順を表す「楽曲番号」を記録する。ＡＢＣ３３のような１曲で構成する楽曲コンテンツデータのみのオーディオコンテンツデータであれば“１”を、Ｓｏｎｇ  Ｓｈｏｗ３６のように複数の楽曲コンテンツデータをもつオーディオコンテンツデータであれば検出された１曲目から順に番号を付ける。また、非楽曲コンテンツデータのみのオーディオコンテンツデータ、あるいは楽曲コンテンツデータと非楽曲コンテンツデータで構成するオーディオコンテンツデータの場合はコンテンツデータサイズを示すことを意味する記号として“０”を記録する。
【００４０】
さらに、楽曲位置を示す値を示す「楽曲位置」を記録する。「開始位置」、「終了位置」は各ファイルにおける先頭からのバイト数を示す。ＡＢＣ３３、ＤＥＦ３４、ＧＨＩ３５、ＪＫＬ３７、ＸＹＺ３８は、１曲で構成する楽曲コンテンツデータであるので、「開始位置」は“０”を指している。また、Ｓｏｎｇ  Ｓｈｏｗ３６のオーディオコンテンツデータは、楽曲位置検出部１６で検出された楽曲コンテンツデータであり４曲が検出されたことを示している。
【００４１】
図５は、オーディオコンテンツデータの構成例を示す図である。ＡＢＣ３３は、図５（Ａ）に示すように、楽曲のみで構成されるオーディオコンテンツデータ５１となるが、Ｓｏｎｇ  Ｓｈｏｗ３６は、図５（Ｂ）に示すように、楽曲と会話やナレーション等の非楽曲で構成されるオーディオコンテンツデータ５２となる。一方、Ｏｎｌｙ  Ｏｎｅ３９はは、図５（Ｃ）に示すように、非楽曲のみで構成されるオーディオコンテンツデータ５３のようになる。
【００４２】
また、前述したようにＳｏｎｇ  Ｓｈｏｗ３６の「楽曲番号」の“０”を示す行においてはコンテンツデータのサイズが５６８４０バイトであることを表している。「楽曲番号」の１〜４は、その中における各楽曲の位置を表している。最後に、オーディオコンテンツデータにビデオコンテンツデータが付随しているか否かを「映像有無」に記録しておく。この「映像有無」、即ちビデオコンテンツデータの有無は、コンテンツデータ分離部１３で判別できる。この楽曲位置管理テーブル４１を参照することで、任意の楽曲コンテンツデータを選択できる。
【００４３】
オーディオコンテンツデータ再生部１８では、ここに内蔵されたオーディオデコーダにより入力された圧縮オーディオコンテンツデータを楽曲として視聴できるようなオーディオデータの形式に変換する。圧縮符号化されたオーディオコンテンツデータであれば、その圧縮方式に対応したデコーダで復号を実施する。また、非圧縮オーディオコンテンツデータの場合は、復号処理は実施しない。例えば、ＡＡＣで圧縮された楽曲コンテンツデータであるＡＢＣ３３は、ＡＡＣデコーダで復号することで非圧縮のオーディオコンテンツデータが生成できる。
【００４４】
なお、上記オーディオコンテンツデータを再生する際、記憶部１７に記録された楽曲位置管理テーブル４１を利用する。例えば、Ｓｏｎｇ  Ｓｈｏｗ３６の２曲目の楽曲を再生する場合は、Ｓｏｎｇ  Ｓｈｏｗ３６のオーディオコンテンツデータを２曲目の開始位置の直前まで読み飛ばし７１２４バイト目から１１３７１バイト目までＡＡＣデコードすることで任意の位置から所望の楽曲を再生できることになる。また、ビデオコンテンツデータと同時にオーディオコンテンツデータを再生する場合は、システム制御部２０が同期タイミングを調整して適切なＡＶコンテンツデータとして視聴できるようにする。
【００４５】
また、楽曲位置管理テーブル４１を利用することで、楽曲コンテンツデータ以外を再生することも可能である。例えば、Ｓｏｎｇ  Ｓｈｏｗ３６のオーディオコンテンツデータにおいて、楽曲位置管理テーブル４１に記録された楽曲位置以外を再生することで音楽番組のうち会話等の部分だけを視聴できる。
【００４６】
操作部１９は、データを入力するためのキー等の入力手段を備え、視聴者が所望するコンテンツデータの選択情報の入力や再生方法の入力が可能であり、システム制御部２０への動作指示を入力することができるようになっている。
【００４７】
システム制御部２０は、コンテンツ再生装置１０の全体を制御する。例えば、操作部１９から入力された視聴者が再生を所望するコンテンツデータを再生できるように、コンテンツ再生装置１０の動作を制御する。またプレイリストファイル２１からプレイリストを取得し、プレイリストに従いコンテンツデータの順次再生のための制御も行う。
【００４８】
ビデオコンテンツデータ再生部２３は、ここに内蔵されたビデオデコーダにより入力された圧縮ビデオコンテンツデータを映像として視聴できるようなビデオデータの形式に変換する。圧縮符号化されたビデオコンテンツデータであれば、その圧縮方式に対応したデコーダで復号する。また、非圧縮ビデオコンテンツデータの場合は、復号処理は実施しない。例えば、ＭＰＥＧ−４で圧縮されたＳｏｎｇ  Ｓｈｏｗ３６のビデオコンテンツデータは、ＭＰＥＧ−４デコーダで復号することで非圧縮のビデオコンテンツデータが生成できる。またシステム制御部２０の指示により、ビデオコンテンツデータを再生しないこともできる。
【００４９】
表示部２４では、コンテンツのファイル名を表示したり再生したビデオコンテンツデータを表示したりする。ただし、ＡＶコンテンツデータであってもシステム制御部２０の指示によりオーディオ部分のみを再生して、ビデオ部分を表示しないようにすることもできる。
【００５０】
図６は、楽曲位置管理テーブル４１を作成する一連の処理の流れの一例を説明するためのフロー図である。なお、ここでは視聴者がコンテンツ再生装置１０にコンテンツデータをダウンロードする際に楽曲位置管理テーブル４１を作成する例を説明するが、視聴者がコンテンツデータを再生する都度、楽曲位置管理テーブル４１を作成してもよい。
【００５１】
まず、コンテンツ再生装置１０は、ダウンロードするコンテンツデータがあるかないかを判定し（ステップＳ１）、ダウンロードするコンテンツデータがない場合（ＮＯの場合）、そのまま処理を終了し、一方、ダウンロードするコンテンツデータがある場合（ＹＥＳの場合）、ダウンロードしたコンテンツデータをコンテンツファイル１１に蓄積する（ステップＳ２）。
【００５２】
次に、コンテンツ再生装置１０は、コンテンツデータ読出部１２によりダウンロードしたコンテンツデータをコンテンツファイル１１から読み込み（ステップＳ３）、読み込んだコンテンツデータをコンテンツデータ分離部１３でオーディオコンテンツデータとビデオコンテンツデータとに分離する（ステップＳ４）。
【００５３】
次に、コンテンツ再生装置１０は、オーディオコンテンツデータ分類部１５でオーディオコンテンツデータを楽曲部分と非楽曲部分とに分類し（ステップＳ５）、この分類結果を基にオーディオコンテンツデータに楽曲コンテンツデータを含むか否かを判定し（ステップＳ６）、楽曲コンテンツデータを含まない場合（ＮＯの場合）、ステップＳ１０に進み、一方、楽曲コンテンツデータを含む場合（ＹＥＳの場合）、ステップＳ７に進む。
【００５４】
コンテンツ再生装置１０は、ステップＳ６において、楽曲コンテンツデータを含むと判定されたオーディオコンテンツデータに対して楽曲コンテンツデータのみで構成されているか否かを判定する（ステップＳ７）。この際、楽曲コンテンツデータと非楽曲コンテンツデータで構成されている場合（ＮＯの場合）、ステップＳ９に進み、一方、楽曲コンテンツデータのみで構成されている場合（ＹＥＳの場合）、ステップＳ８に進む。
【００５５】
ステップＳ８において、楽曲コンテンツデータのみで構成されているオーディオコンテンツデータの楽曲位置を決定する。即ち、開始位置を“０”、終了位置をコンテンツデータのサイズとして楽曲位置管理テーブルに記録する。さらに、楽曲コンテンツデータのみを示すために分類結果には“１”を記録する。一方、ステップＳ９において、非楽曲部分も混在しているオーディオコンテンツデータに対して、楽曲位置検出部１６で正確に楽曲部分の開始位置と終了位置を検出し、楽曲位置管理テーブルに記録する。複数の楽曲部分が存在した場合は、楽曲部分の検出順に楽曲番号を付与する。さらに、楽曲部分と非楽曲部分が混在していることを表すために、楽曲位置管理テーブルの分類結果に“２”を記録する。また、楽曲番号の“０”の部分には、開始位置を“０”、終了位置にコンテンツデータのサイズを記録して、オーディオコンテンツデータのサイズが分かるようにしておく。
【００５６】
また、ステップＳ１０において、オーディオコンテンツデータに楽曲コンテンツデータが全く含まれないので、それを示すために楽曲位置管理テーブルの分類結果に“３”を記録する。また、楽曲番号を“０”とし、開始位置を“０”、終了位置にコンテンツデータのサイズを記録して、オーディオコンテンツデータのサイズが分かるようにしておく。その後、ステップＳ１に戻り、ダウンロードするコンテンツがなくなるまで、上記の処理を繰り返す。一連の処理が終了した時点で図４に示した楽曲位置管理テーブル４１のように楽曲位置等の情報が得られる。
【００５７】
図７は、楽曲位置管理テーブル４１を参照して楽曲コンテンツデータを再生する一連の処理の流れの一例を説明するためのフロー図である。まず、コンテンツ再生装置１０は、外部で作成したプレイリストに従ってコンテンツデータを再生するか否かを判定し（ステップＳ１１）、外部で作成したプレイリストを用いない場合（ＮＯの場合）、ステップＳ１３へ進み、一方、外部で作成したプレイリストを用いる場合（ＹＥＳの場合）、ステップＳ１２に進む。
【００５８】
コンテンツ再生装置１０は、ステップＳ１１において外部で作成したプレイリストを用いる場合、視聴者が再生を所望するプレイリストをプレイリストファイル２１から読み込む（ステップＳ１２）。図８は、オーディオコンテンツデータ毎のプレイリストを説明するための図である。本例に示すプレイリストは、図２に示したコンテンツデータから、開始から順に、ＤＥＦ、ＧＨＩ、Ｓｏｎｇ  Ｓｈｏｗ、ＸＹＺ、ＪＫＬ、ＡＢＣの順番で、楽曲コンテンツデータを再生するように構成されている。
【００５９】
一方、ステップＳ１１において外部で作成したプレイリストを用いない場合、コンテンツ再生装置１０は、プレイリストを作成する処理を実施する。そのために、まず、コンテンツファイル１１に蓄積されているコンテンツデータの一覧を表示部２４に表示して、視聴者が再生を所望するコンテンツデータを選択できるようにする。ここで、楽曲コンテンツデータを再生するので、楽曲位置管理テーブル４１の分類結果において“１”あるいは“２”であるオーディオコンテンツデータのみを一覧として表示する（ステップＳ１３）。このように、対象外の非楽曲コンテンツデータのみのオーディオコンテンツデータ、即ち分類結果が“３”の一覧を表示しなくてすむので、視聴者が必要なものだけを選択しやすくできる。
【００６０】
次に、コンテンツ再生装置１０は、表示されたコンテンツデータ一覧を再生する順番に操作部１９からの入力により選択して、プレイリストを作成する（ステップＳ１４）。なお、本実施例で作成したプレイリストも、図８に示すプレイリストの順番と同一として以下の説明をする。
【００６１】
コンテンツ再生装置１０は、プレイリストの順に楽曲コンテンツデータを再生していき、さらに再生する楽曲コンテンツデータが存在するか否かを判定し（ステップＳ１５）、プレイリストの最後まで達してこれ以上再生する楽曲コンテンツデータがない場合（ＮＯの場合）、そのまま処理を終了し、一方、再生する楽曲コンテンツデータがある場合（ＹＥＳの場合）、ステップＳ１６に進む。
【００６２】
コンテンツ再生装置１０は、再生する楽曲コンテンツデータがある場合、すなわち、図８に示すプレイリストにまだ再生する楽曲コンテンツデータが残っている場合、所定のコンテンツデータをコンテンツファイル１１から読み込む（ステップＳ１６）。例えば、次に再生する楽曲コンテンツデータが楽曲ＧＨＩとすると、コンテンツファイル１１からＧＨＩ３５のコンテンツデータを読み込むことになる。
【００６３】
次に、コンテンツ再生装置１０は、オーディオコンテンツデータ分離部１５において読込んだコンテンツデータからオーディオコンテンツデータを分離する（ステップＳ１７）。例えば、読み込んだコンテンツデータが楽曲ＧＨＩとすると、これは楽曲コンテンツデータのみであるので分離処理は行われない。一方、読み込んだコンテンツデータがＳｏｎｇ  Ｓｈｏｗの場合、ビデオコンテンツデータとオーディオコンテンツデータは分離され、オーディオコンテンツデータのみが再生の対象となる。
【００６４】
次に、コンテンツ再生装置１０は、記憶部１７に記録されている楽曲位置管理テーブル４１を参照して所定の楽曲位置のみを再生する（ステップＳ１８）。例えば、再生対象の楽曲データがＧＨＩとするとデータの最初の位置から３２５１バイト、即ち１曲のみのＧＨＩの楽曲コンテンツデータ全てを再生することになる。この再生が終わればステップＳ１５に戻る。
【００６５】
一方、再生対象がＳｏｎｇ  Ｓｈｏｗの場合、４曲の楽曲データが所定の位置にあるので、最初の曲を再生するために１曲目の開始位置の直前まで読み飛ばし１５バイト目から３９６３バイト目まで再生したところで、次の楽曲コンテンツデータの再生に移る。即ち、データの先頭位置から７１２３バイト分読み飛ばして７１２４バイト目から１１３７１バイト目まで再生し、次の楽曲コンテンツに移る。この処理をＳｏｎｇ  Ｓｈｏｗのオーディオコンテンツデータにおいて楽曲コンテンツデータを全て再生するまで行う。本実施例では、４曲目の楽曲コンテンツデータの再生が終了したら、ステップＳ１５に戻り、図８に示すプレイリストの最後まで再生して処理を終了する。
【００６６】
図９は、楽曲位置管理テーブルを参照して楽曲を含むオーディオコンテンツデータを再生する処理の流れの一例を説明するためのフロー図である。本例では、楽曲位置に関わらずコンテンツデータを再生する場合、即ち、Ｓｏｎｇ  Ｓｈｏｗのように楽曲コンテンツデータと非楽曲コンテンツデータが混在していても、それを区別せず全て再生する一連の処理の流れについて説明する。なお、図９に示すステップＳ２１からステップＳ２７までの処理は、図７に示したステップＳ１１からステップＳ１７までの処理と同一であるため、ここでの説明は省略し、それ以降の異なる部分のみを説明する。
【００６７】
ステップＳ２８において、コンテンツ再生装置１０は、記憶部１７に記録されている楽曲位置管理テーブル４１を参照して所定のオーディオコンテンツデータを再生する。例えば、再生対象の楽曲データがＧＨＩとするとデータの最初の位置から３２５１バイト、即ち１曲のみのＧＨＩの楽曲コンテンツデータ全てを再生することになる。また、再生対象がＳｏｎｇ  Ｓｈｏｗの場合は全て再生するので、データの最初の位置である０バイト目から最後の５６８４０バイト目まで楽曲の有無によらず全て再生する。この再生が終わればステップＳ２５に戻り、再生するコンテンツデータがなくなるまで上記処理を繰り返す。このように、プレイリストに従って楽曲以外のコンテンツデータも再生できる。
【００６８】
また、楽曲コンテンツデータと非楽曲コンテンツデータで構成するオーディオコンテンツデータについて、その中に含まれる楽曲毎に任意の順で再生する例について説明する。図１０は、楽曲毎のプレイリストを説明するための図で、Ｓｏｎｇ  Ｓｈｏｗの枝番３、２、１は楽曲位置管理テーブル４１に記録された楽曲番号を示す。即ち、Ｓｏｎｇ  Ｓｈｏｗ−３は３曲目、Ｓｏｎｇ  Ｓｈｏｗ−２は２曲目、Ｓｏｎｇ  Ｓｈｏｗ−１は１曲目を示す。プレイリストをこのように楽曲単位で構成することで、前述した図７のフロー図に従った処理により楽曲単位で楽曲を再生できる。本例に示すプレイリストは、図２に示したコンテンツデータから、ＤＥＦ、Ｓｏｎｇ  Ｓｈｏｗ−３、Ｓｏｎｇ  Ｓｈｏｗ−２、ＸＹＺ、ＪＫＬ、Ｓｏｎｇ  Ｓｈｏｗ−１の順で、楽曲コンテンツデータを再生するように構成されている。
【００６９】
以上の一連の処理を実施することでプレイリストの順に楽曲コンテンツデータを再生できる。したがって、あらかじめ作成しておいた楽曲位置管理テーブルを参照することで、楽曲コンテンツデータのみのオーディオコンテンツデータ、楽曲コンテンツデータと会話等の非楽曲コンテンツデータが混在するオーディオコンテンツデータがプレイリストに混在していても楽曲コンテンツデータのみをシームレスに再生することができる。
【００７０】
さらに、楽曲位置管理テーブルの分類結果、楽曲番号を参照することで、視聴者が要求するコンテンツデータを容易に選択したり再生したりすることができるようになる。また、楽曲位置に基づいて楽曲を再生しているだけなので、会話等の非楽曲コンテンツデータ自体は消去せずコンテンツ再生装置内のハードディスクドライブ内に残っている。したがって、後に会話等の非楽曲コンテンツデータも視聴することが可能である。
【００７１】
（実施例２）
図１１は、本発明の実施例２に係るコンテンツ再生装置１０の構成例を示すブロック図である。図１１に示すコンテンツ再生装置１０において、図１に示したコンテンツ再生装置１０と同一部分には同一符号を付してある。
【００７２】
本例におけるコンテンツ再生装置１０は、コンテンツデータが蓄積されているコンテンツファイル１１と、コンテンツファイル１１とシステム制御部２０に接続しコンテンツデータを読み出すコンテンツデータ読出部１２と、コンテンツデータ読出部１２に接続し読み出されたコンテンツデータをオーディオコンテンツデータとビデオコンテンツデータとに分離するコンテンツデータ分離部１３と、コンテンツデータ分離部１３に接続しオーディオコンテンツデータを一時的に蓄積するオーディオバッファ部１４と、システム制御部２０に接続しコンテンツデータのメタデータから得られる楽曲位置を記憶する記憶部１７と、オーディオバッファ部１４と記憶部１７とシステム制御部２０に接続し記憶された楽曲位置を基にオーディオコンテンツデータの楽曲を再生するオーディオコンテンツデータ再生部１８と、データ等を入力する操作部１９と、コンテンツデータ読出部１２とコンテンツデータ分離部１３と記憶部１７と操作部１９とプレイリストファイル２１とメタデータファイル２５に接続しコンテンツ再生装置１０を制御するシステム制御部２０と、プレイリストを蓄積するプレイリストファイル２１と、コンテンツデータ分離部１３に接続しビデオコンテンツデータを一時的に蓄積するビデオバッファ部２２と、ビデオバッファ部２２とシステム制御部２０に接続し分離されたビデオコンテンツデータを再生するビデオコンテンツデータ再生部２３と、システム制御部２０とビデオコンテンツデータ再生部２３に接続し再生されたビデオを表示する表示部２４と、コンテンツデータのメタデータを蓄積するメタデータファイル２５と、を備えている。
【００７３】
上記構成によるコンテンツ再生装置１０の動作は、以下の通りである。なお、図１と同一の符号が付されたブロックの動作は、実施例１におけるコンテンツ再生装置１０と同様であるので、ここでは異なる点についてのみ説明する。
【００７４】
メタデータファイル２５は、コンテンツデータの検索情報であるメタデータを蓄積する。なお、このメタデータは本コンテンツ再生装置１０以外で作成されたものであってもよく、例えば据え置型のＤＶＤレコーダでテレビ番組を録画する際に作成したりすることができ、コンテンツデータの内容、放送日時、出演者、楽曲位置等に関するコンテンツデータの検索情報で構成する。
【００７５】
図１２は、メタデータの構成例を示す図である。本例では、Ｓｏｎｇ  Ｓｈｏｗのメタデータ６１の構成を示す。これを用いることでＳｏｎｇ  Ｓｈｏｗの楽曲位置を把握できる。コンテンツデータをコンテンツファイル１１に蓄積する際に、そのコンテンツデータに対応するメタデータもメタデータファイル２５に蓄積しておく。無論、本コンテンツ再生装置１０にメタデータを作成する機能を設けて、コンテンツファイル１１に蓄積されたコンテンツデータのメタデータを適宜作成してメタデータファイル２５に蓄積してもよい。
【００７６】
記憶部１７では、システム制御部２０を介してメタデータファイル２５から再生対象のコンテンツデータのメタデータを読み込む。読み込んだメタデータから楽曲位置等を抽出し楽曲位置管理テーブルを作成する。その結果、前述した楽曲位置管理テーブル４１と同様のものが得られる。以降のオーディオコンテンツの再生については実施例１と同様であり、本コンテンツ再生装置１０で楽曲位置を検出しなくても、外部で作成されたメタデータを用いることで実施例１と同様にコンテンツデータの再生が行える。
【００７７】
（実施例３）
図１３は、本発明の実施例３に係る表示部の再生状態の一例を説明するための図である。ある楽曲コンテンツデータを再生中にその前に位置する非楽曲コンテンツデータを再生させる例について述べる。
【００７８】
初期表示画面７１は、プレイリストに従い楽曲等を再生している状態を示す表示部２４の表示例である。画面の左から、再生順に並んだコンテンツデータ名、コンテンツ種類を表す。ここでコンテンツ種類の音楽、会話等は、楽曲位置管理テーブルに記録された分類結果“１”、“２”、“３”、及び映像有無に相当する。即ち、分類結果が“１”であれば「音楽」、“２”であれば「音楽／会話等」、“３”であれば「会話等」と表示される。さらに、映像有無が有であれば「映像」が表示され、コンテンツの種類が判別できるようになっている。再生中表示７２は、コンテンツデータ名等がハイライト表示されるなどして視聴者が現在再生中のコンテンツデータが認識できるようにする。図１３の例ではＳｏｎｇ  Ｓｈｏｗを再生中であることが分かる。
【００７９】
また、再生中のコンテンツデータの詳細が知りたいとき、操作部１９の所定のボタンを押下すると、コンテンツの詳細表示画面７３が表示され、２曲目が再生中であることが再生中表示７４で分かる。さらに、この状態で、操作部１９の所定のボタンを押下すると、２曲目の前に位置する非楽曲部分、即ち１曲目の後から２曲目の前までの非楽曲部分の再生が行われる。この状態を表したものがコンテンツの会話等再生表示画面７５である。この様な非楽曲部分の再生も楽曲位置管理テーブルを参照して可能である。なお、ここでは２曲目の前に位置する非楽曲部分を全て再生する方法について述べたが、任意の時間前の非楽曲部分、例えば２曲目の先頭から１０秒前の位置をコンテンツデータサイズを基に算出してそこから再生することも可能である。
【００８０】
このように、楽曲コンテンツデータと非楽曲コンテンツデータが混在するコンテンツデータにおいて、楽曲を視聴しているときにその前にある会話等、例えば楽曲の解説やナレーション、会話等をさかのぼって聴くことができる。無論、同様の方法で視聴中の楽曲の後に位置する非楽曲の再生や、非楽曲を視聴しているときにその前あるいはその後の楽曲を再生することも可能である。
【００８１】
以上、本発明の各実施形態について説明したが、本発明のコンテンツ再生装置は、上記の実施形態に限定されるものではなく、本発明の要旨を逸脱しない範囲内において、種々の変更を加えうることは勿論である。
【図面の簡単な説明】
【００８２】
【図１】本発明の実施例１に係るコンテンツ再生装置の構成例を示すブロック図である。
【図２】コンテンツファイルに格納されるコンテンツデータの格納形式の一例を示す図である。
【図３】オーディオコンテンツデータ分類部の構成例を示すブロック図である。
【図４】記憶部に記録する楽曲位置管理テーブルの構成例を示す図である。
【図５】オーディオコンテンツデータの構成例を示す図である。
【図６】楽曲位置管理テーブルを作成する一連の処理の流れの一例を説明するためのフロー図である。
【図７】楽曲位置管理テーブルを参照して楽曲コンテンツデータを再生する一連の処理の流れの一例を説明するためのフロー図である。
【図８】オーディオコンテンツデータ毎のプレイリストを説明するための図である。
【図９】楽曲位置管理テーブルを参照して楽曲を含むオーディオコンテンツデータを再生する処理の流れの一例を説明するためのフロー図である。
【図１０】楽曲毎のプレイリストを説明するための図である。
【図１１】本発明の実施例２に係るコンテンツ再生装置の構成例を示すブロック図である。
【図１２】メタデータの構成例を示す図である。
【図１３】本発明の実施例３に係る表示部の再生状態の一例を説明するための図である。
【図１４】従来技術によるラジオ放送の放送データから楽曲データ等のコンテンツデータを抽出する装置の構成例を示すブロック図である。
【符号の説明】
【００８３】
１０…コンテンツ再生装置、１１…コンテンツファイル、１２…コンテンツデータ読出部、１３…コンテンツデータ分離部、１４…オーディオバッファ部、１５…オーディオコンテンツデータ分離部、１５ａ…スペクトラム分析部、１５ｂ…楽曲／非楽曲整合部、１５ｃ…最終分類部、１６…楽曲位置検出部、１７…記憶部、１８…オーディオコンテンツデータ再生部、１９，１０７…操作部、２０…システム制御部、２１…プレイリストファイル、２２…ビデオバッファ部、２３…ビデオコンテンツデータ再生部、２４，１０８…表示部、２５…メタデータファイル、１００…端末装置、１０１…受信部、１０２…送信部、１０３…ラジオ受信部、１０４…記憶部、１０５…データ処理部、１０６…時刻供給部。
【図１】
2006286031.tif 000003
【図２】
2006286031.tif 000004
【図３】
2006286031.tif 000005
【図４】
2006286031.tif 000006
【図５】
2006286031.tif 000007
【図６】
2006286031.tif 000008
【図７】
2006286031.tif 000009
【図８】
2006286031.tif 000010
【図９】
2006286031.tif 000011
【図１０】
2006286031.tif 000012
【図１１】
2006286031.tif 000013
【図１２】
2006286031.tif 000014
【図１３】
2006286031.tif 000015
【図１４】
2006286031.tif 000016